(57)【要約】【課題】  要求に応じてメダル補給を行う際に、可及的速やかに補給可能なメダル補給システムを提供する。【解決手段】  メダル補給システムを、メダルコンベアの幅方向に並ぶ複数の補給タンクと、メダル揚送装置によって揚送されたメダル群を当該補給タンク各々に択一的に分配する分配機構と、を含めて構成する。空である補給タンクに対して当該分配機構を駆動させることによりメダル群を分配させ、その間に貯留してある補給タンクからメダルコンベア上にメダル群を排出する。複数のメダル要求があっても、複数の補給タンクから互い違いにメダル排出を行うことができるので、速やかなメダル補給が実現する。【選択図】  図４
2006280743.tif 000002
【特許請求の範囲】
【請求項１】
メダル遊技機島の長手方向に沿って延びるメダルコンベアと、
当該メダル遊技機島を構成するメダル遊技機各々に対応させつつ当該メダルコンベアに沿って設けた補給ユニット群と、
メダル揚送装置が揚送したメダル群を受け取り当該メダルコンベアの上に排出するメダル排出機構と、
システムの制御を行うシステム制御装置と、を備えるメダル補給システムであって、
当該メダル排出機構が、メダルコンベアの幅方向に並ぶ複数の補給タンクと、当該補給タンク各々の底部に設けたメダル群を落下させるシャッター機構と、当該補給タンクから落下したメダル群をメダルコンベアの上に案内する案内シュートと、メダル揚送装置によって揚送されたメダル群を、当該補給タンク各々に択一的に分配する分配機構と、を含めて構成してあり、
当該システム制御装置が、当該補給ユニットの何れかから受信した補給要求信号に基づき、何れか１個の補給タンクのシャッター機構を駆動させて貯留させてあるメダル群をメダルコンベアの上に排出させ、かつ、空である補給タンクに対して当該分配機構を駆動させることによりメダル群を分配させるように構成してある
ことを特徴とするメダル補給システム。
【請求項２】
前記分配機構が、メダル揚送装置によって揚送されたメダル群を受け取り排出するメダル排出装置と、当該メダル排出装置のメダル排出先を当該補給タンク各々の何れかに対して選択可能とする選択機構と、を含めて構成してある
ことを特徴とする請求項１記載のメダル補給システム。
【請求項３】
前記選択機構が、前記メダル排出装置及び／又は前記補給タンク各々を当該補給タンクの並び方向に沿って相対移動させる移動装置を含めて構成してあり、
前記システム制御装置が、選択した補給タンクにメダル分配可能な位置に当該メダル排出装置及び／又は当該補給タンク各々を移動させられるように当該移動装置を制御可能に構成してある
請求項２記載のメダル補給システム。
【請求項４】
前記システム制御装置には記憶装置を設けてあり、
前記メダル排出装置には、排出メダル枚数をカウント可能なカウントセンサーを設けてあり、
当該システム制御装置が、当該カウントセンサーから送信されたカウント信号に基づく排出メダル数と、当該排出したメダルを貯留する補給タンクと、を関連付けて当該記憶装置に記憶させるように構成してあり、
補給要求信号を送信した補給ユニットに対してメダルを補給する際に、メダル群を貯留する何れかの補給タンクを選択するとともに当該記憶装置に照会を行い当該補給タンクが貯留していたメダル枚数を把握することによって、当該補給ユニットに補給したメダル枚数を把握可能に構成してある
ことを特徴とする請求項１乃至３何れか記載のメダル補給システム。
【発明の詳細な説明】
【技術分野】
【０００１】
本発明は、スロットマシンやパチスロのようなメダル遊技機を備える遊技場において、メダル補給を行うメダル補給システムに関する。
【背景技術】
【０００２】
これまで知られているメダル補給システムとして、特許文献１に記載されたものがある。このメダル補給システム（以下、適宜「従来の補給システム」という）は、２列に並ぶメダル遊技機群に沿って延びるメダルコンベアと、メダル遊技機群の各々に対応させつつ当該メダルコンベアに沿って設けた補給ユニット群と、メダル揚送装置が揚送したメダル群を受け取り当該メダルコンベアの上に排出するメダル排出機構と、を備えている。メダル揚送装置によって揚送されたメダル群は、補給タンクに一旦貯留された後、メダルコンベアの上に排出されるようになっている。メダル排出は、補給タンクが備える駆動部の駆動によって行われ、駆動時間の長短によって払出枚数が増減調整される。
【特許文献１】特開２００３−２７５３８３（段落００１３、００２２、００４０、図７参照）
【発明の開示】
【発明が解決しようとする課題】
【０００３】
しかしながら、駆動時間の長短に合わせたメダル群の払出枚数調整では、次の問題点が考えられる。上記駆動部の構造は特許文献１からは明らかでないが、仮に、上記補給タンクが１回の（１箇所への）補給枚数よりも多数のメダル群を貯留可能に構成されているのであれば、補給タンク内に貯留されたメダル群を、排出する分と排出せずに貯留タンク内に残す分とに分けなければならない。換言すると、排出によって移動中のメダルを、ある時点で区切る必要がある。補給タンクが、たとえば、４００枚のメダル群を貯留可能である場合に、そのうち２００枚を排出する場合を考える。排出最中のメダル群は、所定の速度で移動している。移動中のメダル群を排出する分と残す分とに区切ることは、排出する分のみの移動を許し残す分の移動を堰き止めるということである。メダル群は不規則に並び重なって払い出されるのが通常であるから、そのような状態にあるメダル群から所望枚数を排出することは実現性に乏しい。
【０００４】
他方、補給タンク内に貯留可能なメダル群が１回の補給枚数と等しいとした場合、つまり、駆動部の駆動により貯留してあるメダル群のすべてを排出するようになっている場合は、メダル払出を終了した後に空になった貯留タンクへメダル揚送装置によるメダル補給を行うことになる。この方法であれば実現性は十分である。しかし、この場合、異なる補給ユニットから同時に又は短時間のうちに前後してメダル補給の要求があったときに問題が生じる。つまり、払出によって空になった貯留タンクにメダル群を満たすためには相応の時間が必要であるため、一方の補給ユニットにメダル補給をした後に他方の補給ユニットに速やかなメダル補給を行うことができない。少なくとも貯留タンクにメダルを満たすだけの時間が、メダル補給前に必要だからである。メダル補給を必要とするのは遊技客が多数のメダルを獲得しさらに獲得する可能性が高い場合であることが多く、そのようなときに速やかな補給ができないとすると遊技に不都合を生じさせかねない。
【０００５】
本発明が解決しようとする課題は、要求に応じてメダル補給を行う際に、可及的速やかに補給可能なメダル補給システムを提供することにある。
【課題を解決するための手段】
【０００６】
上記した目的を達成するために本発明に係るメダル補給システムは、複数の補給タンクを含めて構成してあり、メダル払出（排出）を終了した補給タンクにメダル補給（メダル分配）を行うとともに、必要であれば、メダル補給の最中である補給タンク以外の補給タンクからメダル補給可能に構成してある。その詳しい構成については、項を改めて説明する。なお、何れかの請求項記載の発明を説明するに当たって行う用語の定義等は、その性質上可能な範囲において他の請求項記載の発明にも適用があるものとする。
【０００７】
（請求項１記載の発明の特徴）
請求項１記載の発明に係るメダル補給システム（以下、適宜「請求項１の補給システム」という）は、メダル遊技機島の長手方向に沿って延びるメダルコンベア（たとえば、無端ベルト）と、当該メダル遊技機島を構成するメダル遊技機（たとえば、スロットマシン）各々に対応させつつ当該メダルコンベアに沿って設けた補給ユニット群と、メダル揚送装置が揚送したメダル群を受け取り当該メダルコンベアの上に排出するメダル排出機構と、システムの制御を行うシステム制御装置と、を備えるメダルを補給するためのシステムである。当該メダル排出機構が、メダルコンベアの幅方向（搬送方向を横切る方法）に並ぶ複数の補給タンクと、当該補給タンク各々の底部に設けたメダル群を落下させるシャッター機構と、当該補給タンクから落下したメダル群をメダルコンベアの上に案内する案内シュートと、メダル揚送装置によって揚送されたメダル群を、当該補給タンク各々に択一的に分配する分配機構と、を含めて構成してある。当該システム制御装置が、当該補給ユニットの何れかから受信した補給要求信号に基づき、少なくとも１個の補給タンクのシャッター機構を駆動させて貯留させてあるメダル群をメダルコンベアの上に排出させ、かつ、空である補給タンクに対して当該分配機構を駆動させることによりメダル群を分配させるように構成してある。
【０００８】
請求項１の補給システムによれば、メダル群は次の手順で補給される。まず、メダル揚送装置が回収したメダル群を揚送してメダル排出機構に補給する。メダル排出機構は、メダルコンベアの上にメダル群を排出する。メダルコンベアは補給ユニット群を構成する補給ユニット各々へメダル群を補給し、補給ユニット各々は対応するメダル遊技機にメダル群を補給する。ここで、当該メダル排出機構に補給されるメダル群は、補給タンク各々に分配貯留される。メダル群の分配は分配機構が行う。上記各構成要素の制御はシステム制御装置が行う。システム制御装置は、当該補給ユニットの何れかから受信した補給要求信号に基づき、何れか１個の補給タンクのシャッター機構を駆動させて貯留させてあるメダル群を案内シュート経由でメダルコンベアの上に排出させ、かつ、空である補給タンクに対して当該分配機構を駆動させることによりメダル群を分配させる。補給タンクを複数設けることによって、たとえば、何れか１個の補給タンクから排出している間に他の補給タンクにメダル分配をしたり、何れか１個の補給タンクから排出した後に他の補給タンクから排出又は排出後の補給をしたり、することができる。たとえば、補給タンクが３個ありそのうちの１個である第１の補給タンクから第１のメダル要求に応じて第１のメダル排出を行ったとしたときに、依然第２及び第３の補給タンクにはメダルが貯留されている。ここで、排出により空になった第１の補給タンクにメダル分配（排出）を行うが、メダル分配を完了しないうちに第２のメダル要求があったとしても第２及び第３の補給タンクの何れかからメダル排出を行えば第２のメダル要求に対して速やかに第２のメダル補給を行うことができる。ここで、第２のメダル補給の最中にさらなる第３のメダル要求があったとしても、最後に残った第３の補給タンクから第３のメダル補給が可能であるし、第３のメダル補給を行っている際に第１の補給タンク、タイミングによってはさらに第２の補給タンクへのメダル分配が完了するであろうから、追って出された第４のメダル要求に対しても速やかなメダル補給が可能になる。このように、複数の補給タンクを設けることによって、１個の補給タンクについて排出と分配とを交互に繰り返して行う場合に比べて速やかなメダル補給を行うことができるようになる。
【０００９】
（請求項２記載の発明の特徴）
請求項２記載の発明に係るメダル補給システム（以下、適宜「請求項２の補給システム」という）では、請求項１の補給システムの基本的構成のうち、前記分配機構が、メダル揚送装置によって揚送されたメダル群を受け取り排出するメダル排出装置と、当該メダル排出装置のメダル排出先を当該補給タンク各々の何れかに対して選択可能とする選択機構と、を含めて構成してある。
【００１０】
請求項２の補給システムによれば、請求項１の補給システムの基本的作用効果に加え、メダル揚送装置によって揚送されたメダル群をメダル排出装置が排出し、メダル分配のための排出先が選択機構の機能によって選択される。
【００１１】
（請求項３記載の発明の特徴）
請求項３記載の発明に係るメダル補給システム（以下、適宜「請求項３の補給システム」という）では、請求項２の補給システムの基本的構成のうち、前記選択機構が、前記メダル排出装置及び／又は前記補給タンク各々を当該補給タンクの並び方向に沿って相対移動させる移動装置を含めて構成してあり、前記システム制御装置が、選択した補給タンクにメダル分配可能な位置に当該メダル排出装置及び／又は当該補給タンク各々を移動させられるように当該移動装置を制御可能に構成してある。
【００１２】
請求項３の補給システムによれば、請求項２の補給システムの作用効果に加え、メダル排出装置及び／又は補給タンク各々の移動によって選択した補給タンクにメダル分配を行う。すなわち、補給タンクに対するメダル分配（排出）方向は一定であるが、メダル排出装置及び／又は補給タンク各々に対して移動させることによってメダル排出先を調整する。移動装置には、メダル排出装置だけを移動させ補給タンクを移動させない機能が一般的であるが、メダル排出装置を移動させずに複数の補給タンクの全部又は一部（たとえば、選択した補給タンクのみ）を移動させる機能や、メダル排出装置と補給タンクの全部又は一部の双方を移動させる機能とすることもできる。
【００１３】
（請求項４記載の発明の特徴）
請求項４記載の発明に係るメダル補給システム（以下、適宜「請求項４の補給システム」という）では、請求項１乃至３何れか記載の補給システムの基本的構成を備えさせた上で、前記システム制御装置には記憶装置を設けてあり、前記メダル排出装置には、排出メダル枚数をカウント可能なカウントセンサーを設けてある。上記構成において、当該システム制御装置が、当該カウントセンサーから送信されたカウント信号に基づく排出メダル数（排出先補給タンクのメダル貯留枚数と等しい）、当該排出したメダルを貯留する補給タンクと、を関連付けて当該記憶装置に記憶させるように構成してあり、補給要求信号を送信した補給ユニットに対してメダルを補給する際に、メダル群を貯留する何れかの補給タンクを選択するとともに当該記憶装置に照会を行い当該補給タンクが貯留していたメダル枚数を把握することによって、当該補給ユニットに補給したメダル枚数を把握可能に構成してある。
【００１４】
請求項４の補給システムによれば、請求項１乃至３何れかの補給システムの作用効果に加え、補給要求信号を送信した補給ユニットに対して補給したメダル枚数を把握することができる。すなわち、補給タンクにメダル補給を行う際に、補給するメダル数をカウントセンサーによってカウントする。カウントセンサーによって送信されたカウント信号に基づく排出メダル数を、その払出先の補給タンクと関連付けて記憶装置に記憶させておく。ある補給ユニットに対してメダル補給を行ったときに、そのメダル補給に係る補給タンクへのメダル排出枚数を記憶装置に照会することによって、当該補給ユニットに補給したメダル枚数を間接的に把握することができる。把握したメダル枚数は、メダル補給システム全体におけるメダル補給の実態や、メダル遊技機における遊技状況等を把握分析等するために重要なデータとなり得る。
【発明の効果】
【００１５】
本発明に係るメダル補給システムを使用すれば、複数のメダル遊技機に対して複数の補給タンクから交互にメダル補給を行うことができるので、１個の補給タンクについて排出と補給とを交互に繰り返して行う場合に比べて速やかなメダル補給が可能になる。
【発明を実施するための最良の形態】
【００１６】
各図を参照しながら、本発明の実施形態（以下、適宜「本実施形態」という）について説明する。図１は、メダル補給システムを備えたメダル遊技機島の正面図である。図２は、図１に示すメダル遊技機島の部分拡大図である。図３乃至５は、メダル排出機構の平面図である。図６は、ゲートユニットの拡大平面図である。図７はゲートユニットの拡大正面図である。図８及び９は、分配機構の斜視図である。図１０は、分配機構の内部を示す正面図である。図１１は、分配機構の内部を示す右側面図である。図１２及び１３は、分配機構の内部を示す斜視図である。図１４は、補給タンクの平面図である。図１５は、補給タンクの正面図である。図１６は、シャッター機構の右側面図である。図１７は、シャッター機構の平面図である。図１８は、案内シュートの正面図である。図１９は、案内シュートの右側図である。図２０は、案内シュートの平面拡大図である。図２１は、メダル補給システムの電気的構成を示すブロック図である。図２２は、メダル補給システムの動作手順を示すフローチャートである。
【００１７】
（メダル補給システムの設置）
図１を参照する。符号１０１は、メダル遊技場に設置したメダル遊技機島を示している。メダル遊技機島１０１は、図１の紙面厚み方向に背中合わせで、図１に示すように長さ方向並列（横並び）に配した複数のメダル遊技機１０３，・・（メダル遊技機群１０３）と、各メダル遊技機１０３間に配したメダル貸機１０５（メダル貸機群１０５）と、メダル遊技機群１０３及びメダル貸機群１０５にメダルを補給するためにメダル補給システム１と、を含めて構成してある。なお、本実施形態におけるメダル遊技機にはスロットマシンを採用したが、スロットマシン以外のメダル遊技機も採用可能であることは言うまでもない。
【００１８】
（メダル補給システムの概略構造）
図１乃至３を参照する。メダル補給システム１は、２列に並ぶメダル遊技機群１０３，１０３に沿って（メダル遊技機島１０１の長さ方向に）延びるメダルコンベア３と、メダル遊技機群１０３を構成するメダル遊技機１０３の各々に対応させつつメダルコンベア３に沿って設けた補給ユニット群５と、メダル揚送装置１０９が揚送したメダル群を受け取りメダルコンベア３の上に排出するメダル排出機構１１と、メダル補給システム１全体の制御を行うシステム制御装置５１と、を含めて構成してある。メダル揚送装置１０９は、メダル遊技機島１０１の端（島端）に起立設置してある主としてメダル揚送のための装置であって、メダル揚送とともにメダル研磨の機能を兼ね備えているものであってもよい。メダルコンベア３は、符号３ａで示す一方のローラ（図２参照）と、図外の他方のローラによって駆動される無端ベルトであって、その両脇には載置したメダル群Ｍを落下させないようにするための側壁３ｃ，３ｃを起立設置してある。符号６はゲートユニットを、符号７，７は、メダル通過を検出するための通過センサーを、それぞれ示している。
【００１９】
（補給ユニットの構造）
図３乃至７を参照する。補給ユニット群５を構成する各補給ユニット５は、何れも同一構造に構成してあるため、以下の説明は、１個の補給ユニット５について行う。なお、図４が示すメダル補給システム１は図５が示すそれと同じであり、３個ある補給タンク１３，・・のうちメダル排出するタイミングが異なるに過ぎない。メダル排出のタイミングについては、後述する。補給ユニット５は、所望枚数のメダルを一時貯留するための貯留タンク５ａと、貯留タンク５ａの下端から貯留してあるメダルを落下させるための落下シュート５ｃ（図１参照）と、落下シュート５ｃの入口に設けた落下ゲート５ｇ（図２１参照）と、ゲートユニット６と、を含めて構成してある。貯留タンク５ａには、メダルコンベア３（側壁３ｃ）方向に開口する受入切欠５ｂを形成してあり、受入切欠５ｂは、側壁３ｃに形成した排出切欠３ｄに対応させてある。すなわち、メダルコンベア３に載置したメダル群Ｍは、排出切欠３ｄ及び受入切欠５ｂが開口状態にあるときに、両切欠を介して貯留タンク５ａ内に落下可能な高さ関係に設定してある。排出切欠３ｄ及び受入切欠５ｂの開閉は、ゲートユニット６が行う。
【００２０】
（ゲートユニットの構造）
図４乃至７を参照する。ゲートユニット６は、側壁３ｃに固定したロータリー式のソレノイド６ａと、ソレノイド６ａによって水平方向に旋回可能かつ旋回によってメダルコンベア３の上方領域に対して進退自在なゲート６ｇと、により概ね構成してある。ソレノイド６ａは、受入切欠５ｂに臨む側壁３ｃのうちメダル排出機構１１から遠い側に固定してある。メダル排出機構１１から遠い側（下流側）に固定したのは、排出切欠３ｄ（受入切欠５ｂ）と進出させたゲート６ｇとによりメダル排出機構１１方向に開口するＶゾーンを形成することによってゲート６ｇに衝突したメダル群Ｍを排出切欠３ｄ（受入切欠５ｂ）方向に導けるようにするためである。図６に示すようにソレノイド６ａは、その半身がメダルコンベア３の上に突き出すように配してあり、その下端面とメダルコンベア３の上面との間にはメダルコンベア３上のメダル群Ｍが通過可能な隙間を形成してある（図７参照）。メダル群Ｍを通過可能とすることによって、メダル群Ｍがソレノイド６ａに衝突してメダルコンベア３上で停滞することのないように、また、仮に衝突してもメダルコンベア３との間でメダルが詰まることのないようにするためである。
【００２１】
ソレノイド６ａは、その頂部に旋回軸６ｂを備え、ゲート６ｇは、この旋回軸６ｂに一体旋回可能に固定してある。すなわち、ゲート６ｇは、旋回軸６ｂに一端を固定し他端を水平方向に延ばした水平アーム部６ｈと、水平アーム部６ｈの他端側から下方に拡幅しながら延ばした支持アーム６ｊと、支持アーム６ｊの下端から水平に延ばした略矩形のゲート本体６ｋと、を含め、略Ｓ字状に形成してある。ゲート６ｇ（ゲート本体６ｋ）は、閉鎖時（退出時）に排出切欠３ｄを閉鎖可能、かつ、開放時（進出時）にメダルコンベア３の上方領域に進出可能に構成してある。ゲート本体６ｋの下端は、進出したときにメダルコンベア３の上面との間にメダルＭ１枚分の厚み寸法よりも小さい高さ寸法の隙間を形成するように設定してある。このような隙間寸法の設定は、メダル群Ｍとの衝突を確実にするとともにメダル詰まりを生じさせないようにするためのものである。他方、ゲート本体６ｋの高さ寸法は、メダルコンベア３上のバラ状態のメダル群Ｍ（重なっている場合もある）の高さ寸法を超える寸法に、また、長さ寸法は、退出時に排出切欠３ｄを閉鎖するとともに進出時にメダル群Ｍの全部と衝突可能な長さ寸法に、それぞれ設定してある。このような高さ寸法の設定は、同じくメダル群Ｍとの衝突を確実にしてメダルの乗り越えやこぼれ等を有効防止するとともに、排出切欠３ｄ（受入切欠５ｂ）の閉鎖を確実なものとするためである。さらに、長さ寸法の設定は、退出時と進出時におけるそれぞれの機能を実効可能とするためである。
【００２２】
（メダル排出機構の構造）
図２及び図８乃至１２を参照する。メダル排出機構１１は、メダルコンベア３の幅方向（メダル遊技機島１０１の幅方向）に並ぶ複数（本実施形態では３個）の補給タンク１３，・・（図１２参照）と、補給タンク１３各々の底部に設けたメダル群Ｍを落下させるシャッター機構１５（図１６参照）と、補給タンク１３，・・から落下したメダル群Ｍをメダルコンベア３の上に案内する案内シュート１７（図１８乃至２０参照）と、メダル揚送装置１０９によって揚送されたメダル群Ｍを、補給タンク１３各々に択一的に分配する分配機構２１と、を含めて構成してある。以下、説明の都合上、分配機構２１から先に説明する。
【００２３】
（分配機構の構造）
図１、２及び８乃至１１を参照する。分配機構２１は、メダル揚送装置１０９の上部に隣接させた矩形の筐体２２と、メダル排出装置２３と、移動装置２７と、を含めて構成してある。図１に示すように筐体２２は、メダル遊技機島１０１の島端に設けた縦長箱体からなる島端部１０２の上部のメダルコンベア３側に固定してある。メダル揚送装置１０９と対向する筐体２２の背面側壁２２ａには、メダル揚送装置１０９の排出口１１０を介して排出されたメダル群Ｍを受け入れるための受入開口２２ｂを、メダルコンベア３と対向する筐体２２の前面側壁２２ｄには、後述するように、メダル排出装置２３の排出シュート２３ｂを水平方向に移動可能とするための横長窓２２ｅを、それぞれ貫通形成してある。メダル排出装置２３は、その頂部にメダル貯留部２３ａを、メダル貯留部２３ａの下部には貯留してあるメダルを排出シュート２３ｂから排出するための排出機構部（図示を省略）を、それぞれ備えている。排出シュート２３ｂは、メダル貯留部２３ａの幅方向略中央から若干斜め下方向に突き出している。斜めに突き出させたのは、その傾斜によってメダル排出を円滑に行えるようにするためである。メダル貯留部２３ａのメダル揚送装置１０９側には、筐体２２の受入開口２２ｂ（メダル揚送装置１０９の排出口１１０）と連通する切欠２３ｃを形成してある。これによって、メダル揚送装置１０９によって揚送されたメダル群が、メダル貯留部２３ａ内に投入可能になっている。メダル排出装置２３は、筐体２２内部の最上位に位置し、次に述べる移動装置２７により筐体２２の内部において水平方向に移動可能に構成してある。筐体２２の幅寸法は、メダル排出装置２３の幅寸法の３倍寸法よりも僅かに長く設定してあり、幅方向中央に移動したときにメダル排出装置２３がメダル揚送装置１０９からメダルを受け取ることができるように受入開口２２ｂ（メダル揚送装置１０９の排出口１１０）との位置関係を設定してある。
【００２４】
（移動装置の構造）
図８乃至１２を参照する。移動装置２７は、筐体２２の背面側壁２２ａと前面側壁２２ｄとの間で回転可能に支持された複数の（本実施形態では５個）ローラ群２８と、ローラ群２８に巻き掛けた無端ベルト２９と、ローラ群２８を構成する駆動ローラ２８ａ（図９において右端に位置）を回転させる駆動部３１と、を含めて構成してある。無端ベルト２９の上には、メダル排出装置２３を載置固定してある。図９及び図１０に示すメダル排出装置２３は、筐体２２の略中央の位置（この位置を「中央位置」と定義する）にあり、図９に向って左一杯に移動させた位置（この位置を「第１側方位置」と定義する）と同じく右一杯に移動させた位置（この位置を「第２側方位置」と定義する）との間で、無端ベルト２９の回転により水平方向に移動可能になっている。メダル排出装置２３の位置は、筐体２２に取り付けてある位置センサー２１ｓ１，２１ｓ２及び２１ｓ３が検知して、その検知信号を受信したホールコンピュータ５３が判断するようになっている。駆動部３１は、筐体２２の背面側壁２２ａにネジ（図示を省略）によって固定した可逆モーター３１ａと、可逆モーター３１ａの回転を減速するために可逆モーター３１ａと一体化したギヤボックス３１ｂと、ギヤボックス３１ｂの出力軸に一体回転可能に固定した駆動プーリー３１ｃと、前面側壁２２ｄ側に突き出す駆動ローラ２８ａ（ローラ２８）の回転軸に一体回転可能に固定した従動ローラ３１ｄと、前面側壁２２ｄに片持ち支持させたアイドルプーリー３１ｅ，３１ｅと、から構成してある。アイドルプーリー３１ｅ，３１ｅは、図１０及び１１から明らかなように、ギヤボックス３１ｂ等と補給タンク１３のシャッター機構１５の相互干渉を避けるために無端ベルト３１ｆをくの字状に屈曲させる必要が生じたため、この屈曲を実現させるために設けたものである。可逆モーター３１ａの回転は、ギヤボックス３１ｂによって減速され駆動プーリー３１ｃを回転させる。駆動プーリー３１ｃは無端ベルト３１ｆを回転させアイドルプーリー３１ｅ，３１ｅは、これを補助する。無端ベルト３１ｆの回転は駆動ローラ２８ａを介して無端ベルト２９を回転させ、これによって、メダル排出装置２３を可逆的に移動させる。なお、上記した移動装置２７は、後述するホールコンピュータ５３の制御と相俟ってメダル排出装置２３を移動させ何れの補給タンク１３にメダルを排出させるべきか選択可能とするための選択機構の代表的なものであるが、移動装置２７以外の構造や原理を採用することを妨げるものではない。
【００２５】
（補給タンクの構造）
図１０乃至１６を参照する。前述したように本実施形では３個の補給タンク１３，・・を採用しており、各補給タンク１３の構造に異なる点はない。したがって、以下の説明では、１個の補給タンク１３についてのみ説明を行い、必要なときだけ他の補給タンク１３，１３についての説明を行うこととする（次に述べるシャッター機構１５についても同じ）。すなわち、補給タンク１３は、上方に開口する上面視矩形（図１４参照）の中空枠体１３ａと、中空枠体１３ａの下端から略３分の１の各辺内面から下端に向って傾斜する４枚の傾斜底板１３ｂ，１３ｂ，１３ｃ，１３ｃと、によって構成してある。中空枠体１３ａの幅寸法は、メダル排出装置２３の幅寸法と略同じに設定してあり、これは、メダル排出装置２３の位置に関わらずメダル排出装置２３（排出シュート２３ｂ）と補給タンク１３との相対位置が一定となるようにするためである。すなわち、図１０に示すメダル排出装置２３は中央位置にあるためこのとき排出されるメダル群Ｍは３個並ぶ補給タンク１３，・・のうち中央にある補給タンク１３の中にメダル群Ｍを排出することになるが、メダル排出装置２３が第１側方位置にあれば向って左側の補給タンク１３に、同じく第２側方位置にあれば向って右側の補給タンク１３に、それぞれ排出することになる。他方、傾斜底板１３ｂ，１３ｂ，１３ｃ，１３ｃは、逆さにした角錐の各辺を構成するように配してあり、その底部（逆さ角錐の頂部）には円形の落下孔１３ｈを形成してある。落下孔１３ｈは、複数のメダルが同時落下するのに十分な大きさに形成してある。したがって、補給タンク１３内に投入されたメダル群は、傾斜底板１３ｂ，１３ｂ，１３ｃ，１３ｃの傾斜によって落下孔１３ｈに向って案内され、落下孔１３ｈが開口していればそこから落下する。なお、１個の補給タンク１３のメダル貯留量は、これを１個の貯留タンク５ａのメダル貯留量と同じとしてもよいし、複数個の貯留タンク５ａ，・・のメダル貯留量と同じとしてもよい。
【００２６】
（シャッター機構の構造）
図１７を中心に、図１０乃至１６を併せて参照する。シャッター機構１５は、補給タンク１３に固定した取付枠１５ａと、取付枠１５ａ内に固定した可逆モーター１５ｂと、可逆モーター１５ｂの出力軸と一体回転可能な駆動ギヤ１５ｃと、駆動ギヤ１５ｃと噛み合い駆動ギヤ１５ｃよりも大径の従動ギヤ１５ｄと、従動ギヤ１５ｄと一体旋回可能な支持片１５ｅと、支持片１５ｅの自由端に固定した円形のシャッター板１５ｆと、支持部材１５ｇと、を含めて構成してある。可逆モーター１５ｂの回転は駆動ギヤ１５ｃから従動ギヤ１５ｄに減速伝達され、従動ギヤ１５ｄの回転は支持片１５ｅを介してシャッター板１５ｆを往復旋回させる。図１７に実線で示すシャッター板１５ｆは落下孔１３ｈを閉鎖した状態にあり、同じく２点鎖線で示すものは開放した状態にある。なお、図１６及び１７に示すように、支持部材１５ｇは、傾斜底板１３ｃの下面に固定した略Ｓ字状の部材であって、落下孔１３ｈ近傍に臨ませて閉鎖時のシャッター板１５ｆの一部（先端）をその自由端上面に載置可能に構成してある。すなわち、旋回によって落下孔１３ｈの閉鎖方向に旋回してきたシャッター板１５ｆ先端と摺動接触してシャッター板１５ｆを下方から支持可能に構成してある。シャッター板１５ｆの支持が支持片１５ｅを介した片持ち支持であるため、閉鎖時に補給タンク１３内にあるメダル群Ｍから受ける荷重を分担負担して支持片１５ｅの負荷を軽減するためである。
【００２７】
（案内シュートの構造）
図２及び図１８乃至２０を参照する。上方に開口する上面視矩形（図２０参照）の中空枠体１７ａと、中空枠体１７ａの下端から略３分の１の３辺１７ｂ，１７ｃ，１７ｄ内面から下端に向って傾斜する３枚の傾斜底板１７ｆ，１７ｇ，１７ｈと、によって構成してある。中空枠体１７ａの幅寸法は、３個並べた補給タンク１３，・・の幅寸法と略等しく設定してあり、これによって落下孔１３ｈの何れから落下するメダル群も収容可能になっている。また、中空枠体１７ａのメダルコンベア３側の側壁１７ｅの下端部中央には矩形の排出口１７ｊを開口させてある。排出口１７ｊは、メダルコンベア３の幅寸法と略等しい幅寸法に、かつ、重なり合ったメダル群が余裕を持って通過可能な高さ寸法に、それぞれ形成してある。傾斜底板１７ｇは排出口１７ｊに向って先細りさせその下端は排出口１７ｊの下端まで延ばしてある。つまり、傾斜底板１７ｇ下端の幅寸法と排出口１７ｊ下端の幅寸法を一致させてある。傾斜底板１７ｆ及び傾斜底板１７ｈは、何れも逆三角形に形成してあり、その下端が排出口１７ｊ下端で傾斜底板１７ｇの下端と一致するように形成してある。以上の構成によって、傾斜底板１７ｆ，１７ｇ，１７ｈ上を滑走するメダル群は、何れも排出口１７ｊから外部に排出可能となる。傾斜底板１７ｇ下端の下方領域には、メダルコンベア３の一端を差し込むように配してあり、かつ、メダルコンベア３の上面と傾斜底板１７ｇの上面との間にできる角度を鈍角（たとえば、１２０°〜１５０°）に設定してある（図１９参照）。滑走してきたメダル群をメダルコンベア３上に円滑に載置させるためである。
【００２８】
（システム制御装置の構造）
図２１を参照する。システム制御装置５１は、メダル遊技場を管理するホールコンピュータ５３と、複数台のメダル遊技機１０３各々に対応させてメダル遊技機島１０１に設けた台コンピュータ（台コンピュータ群）５５と、を含めて構成してあり、さらに、上記二者は互いに通信可能に設定してある。ホールコンピュータ５３にはメダル遊技機１０３,・・の遊技状態を管理するためのプログラムのほか、メダル補給システム１を動作させるためのプログラムを格納してある。台コンピュータ５５各々には、対応するメダル遊技機１０３からの信号をホールコンピュータ５３の中継装置として制御したり、または自身が信号を収集し管理する制御プログラムが格納してある。
【００２９】
（メダル補給システムの動作手順）
図２１及び２２を参照する。ここでは、遊技場におけるある日の開店から営業に至るまでの動作手順について説明する。なお、前日行われたメダル回収により、各メダル遊技機１０３にはメダルが残っていないものとする。メダル遊技場の開店準備は、ホールコンピュータ５３が開店信号５３ｓ（図２１参照）を出力することから始まるが、これに基づき、メダル補給を行う。メダル補給の完了により開店準備を完了する。以下、営業中におけるメダル補給システムの動作の詳細を説明する。
【００３０】
営業中の遊技進行に伴い貯留メダル数が補給必要量にまで減少した場合の補給ユニット５（以下、説明の便宜上「第１補給ユニット５ｘ」という）は、その旨を示す補給要求信号５ｓ−１を台コンピュータ５５経由でホールコンピュータ５３へ送信する。この補給要求信号５ｓ−１が、メダル補給の契機となる。補給要求信号５ｓ−１を受信したときのホールコンピュータ５３の動作は次の通りである。図２２を参照しながら説明する。すなわち、第１補給ユニット５ｘからの補給要求信号５ｓ−１を受信したホールコンピュータ５３は（Ｓ１）、まず、駆動指令信号５３ｓ−１を送信してメダルコンベア３を駆動させメダル搬送可能な状態を形成する（Ｓ３）。さらに、補給要求信号５ｓ−１を送信した第１補給ユニット５ｘに対してゲート開放信号５３ｓ−２を送信してゲート６ｇを開放させ（Ｓ５）、メダルを受け入れられる状態を形成する。
【００３１】
メダル搬送及び受入の準備ができたところで、ホールコンピュータ５３は、３個ある補給タンク１３，・・のうちメダルを貯留してある補給タンクを特定する（Ｓ７）。本実施形態では、各補給タンク１３にメダルを投入したときに、当該補給タンク１３とメダル投入数とを関連付けてホールコンピュータ５３の記憶装置５３ｍに記憶するように構成してあり、記憶装置５３ｍにアクセスして得た記憶データからメダルを貯留してある補給タンク１３を特定する。メダル投入数は、メダル排出装置２３が有するカウントセンサー２３ｓによって把握可能になっており、カウントセンサー２３ｓのカウント信号はホールコンピュータ５３に送信されるようになっている。記憶装置５３ｍを用いる代わりに、各補給タンク１３に満タンセンサー（図示を省略）等を取り付けておき、満タンセンサーの満タン信号の有無によってメダル貯留の有無を判断するように構成してもよい。ここでは、３個ある補給タンク１３，・・のすべてがメダルを貯留しているものとして説明する。
【００３２】
メダルを貯留してある補給タンク１３を特定できたら（ここでは、図４に示す中央の補給タンク１３を特定したことにする）、特定した補給タンク１３（以下、説明の便宜上「第１補給タンク１３ｘ」という）のシャッター機構１５に落下指令信号５３ｓ−３を送り落下孔１３ｈを開放させる（Ｓ９）。落下孔１３ｈの開放によって落下したメダル群Ｍは、案内シュート１７を介してメダルコンベア３の上に載置され、載置されたメダル群Ｍは、駆動するメダルコンベア３によって搬送される。メダル群Ｍを落下させ空になった補給タンク１３については、ホールコンピュータ５３は、落下孔１３ｈを開放させた後、所定時間（たとえば、１０秒）経過したところで、閉鎖指令信号５３ｓ−４をシャッター機構１５に送信して落下孔１３ｈを閉鎖させ（Ｓ１１）、閉鎖させた補給タンク１３がメダルを貯留していない旨を記憶装置５３ｍに記憶する（Ｓ１３）。この時点では、第１補給タンク１３ｘのみが空で、その両脇にある補給タンク１３，１３にはメダルが貯留されている状態である。他方、メダルコンベア３によって搬送されたメダル群Ｍは、Ｓ５において開放させられたゲート６ｇに導かれ第１補給ユニット５ｘの貯留タンク５ａに投入され（図４参照）、投入完了を確認したホールコンピュータ５３は、第１補給ユニット５ｘにゲート閉鎖信号５３ｓ−５を送信してゲート６ｇを退出させる（Ｓ１５）。このときホールコンピュータ５３は、記憶装置５３ｍに照会を行い第１補給タンク１３ｘが貯留していたメダル枚数を把握することによって、第１補給ユニット５ｘに補給したメダル枚数を把握することができる。
【００３３】
ここで、ホールコンピュータ５３は、前記した第１補給ユニット５ｘ以外の他の補給ユニット（以下、説明の便宜上「第２補給ユニット５ｙ」という）からの補給要求信号の有無を確認する（Ｓ１７）。第２補給ユニット５ｙから補給要求信号を受けていない場合は次のＳ１８へ進み、受けている場合はＳ３１へ進む。Ｓ１８におけるホールコンピュータ５３は、メダル排出装置２３の位置を確認する（Ｓ１８）。メダル排出装置２３が中央位置にあれば（メダル揚送装置１０９の排出口１１０とメダル排出装置２３の切欠２３ｃとが一致している）、メダル揚送装置１０９を駆動してメダル排出装置２３に所定枚数のメダルを投入させる（Ｓ１９）。中央位置になければ、移動装置２７に移動指令信号５３ｓ−６を送信してメダル排出装置２３を中央位置に移動させて（Ｓ２９）からメダルを投入する（Ｓ１９）。投入されたメダルの枚数を示すカウント信号は、カウントセンサー２３ｓからホールコンピュータ５３に送信され、カウント信号を受けたホールコンピュータ５３は排出メダル数と排出したメダルを貯留する補給タンクとを関連付けて記憶装置５３ｍに検索可能な状態で記憶させる。
【００３４】
メダル投入が完了したところで、ホールコンピュータ５３は、メダル揚送装置１０９に揚送停止信号５３ｓ−７を送信してメダル揚送を停止させる（Ｓ２０）。メダル揚送が停止したところで、ホールコンピュータ５３は、自己の記憶装置にアクセスして空になっている補給タンク１３を検索する（Ｓ２１）。ここでホールコンピュータ５３は、検索により特定した空の補給タンク１３（本実施形態における第１補給タンク１３ｘ）へメダル分配可能な位置までメダル排出装置２３を移動させるように移動装置２７へ移動指令信号５３ｓ−６を送信する（Ｓ２２）。移動が完了したことを確認したホールコンピュータ５３は、メダル排出装置２３に排出指令信号５３ｓ−８を送信して空の第１補給タンク１３ｘにメダルを排出させる（Ｓ２３）。他方、Ｓ２１における検索の結果、第１補給タンク１３ｘ以外の空の補給タンクの有無を再確認し（Ｓ２４）、これがなかった場合はその時点においてメダル搬送の必要がないので駆動停止信号５３ｓ−９を送信してメダルコンベア３の駆動を停止させる（Ｓ２５）。Ｓ２４において、検索により、第１補給タンク１３ｘ以外の補給タンク１３（以下、便宜上「第２補給タンク１３ｙ」という）も空であった場合は、Ｓ１８へ戻り、前述したＳ１８以下の手順で第２補給タンク１３ｙにもメダル分配を行う。
【００３５】
他方、Ｓ１７において、第２補給ユニット５ｙから補給要求信号５ｓ−１を受信したホールコンピュータ５３は、第２補給ユニット５ｙが第１補給ユニット５ｘの上流にあるか、すなわち、補給タンク１３により近いか否かを判定する（Ｓ３１）。本実施形態における補給ユニットの位置判定は、ホールコンピュータ５３が、前述した記憶装置にアクセスしてそこに記憶してある各補給ユニットの位置データを読み取って比較することにより行うようになっている。判定の結果、第２補給ユニット５ｙが第１補給ユニット５ｘよりも上流にあると判明したときは、第２補給ユニット５ｙの直下流にある通過センサー７，７（図４及び５参照）から受ける通過信号が遮断し所定時間経過してから（Ｓ３３）、ゲート開放信号５３ｓ−２を送信して第２補給ユニット５ｙのゲート６ｇを開放させる（Ｓ３５）。ここで、遮断後所定時間経過後にゲート６ｇを開放させるように設定したのは、メダル群が常に連続して搬送されるとは限らず隙間が開いた状態で搬送される場合も想定されるので、一群のメダルが確実に通過する時間的猶予を確保するためである。上記通過センサー７，７の通過信号を待つように構成したのは、第１補給ユニット５ｘのためのメダル群Ｍが通過前に第２補給ユニット５ｙのゲート６ｇを開放させると、第１補給ユニット５ｘに補給するはずのメダル群Ｍを第２補給ユニット５ｙに補給してしまうことになるので、そのような誤った補給を防ぐためである。Ｓ３５で第２補給ユニット５ｙのゲート６ｇを開放させたホールコンピュータ５３は、上述したＳ７〜Ｓ１５と同じ処理を行った（Ｓ３７〜Ｓ４５）後に、Ｓ１７の処理に戻る。他方、図４及び５に示す状態とは異なるが、Ｓ３１において第２補給ユニット５ｙが第１補給ユニット５ｘよりも下流にあるときは、第１補給ユニット５ｘへのメダル補給が終わり第１補給ユニット５ｘのゲート６ｇへの前述したゲート閉鎖信号５３ｓ−５の確認を待ってＳ３５へ進む（Ｓ５１）。ゲート閉鎖信号５３ｓ−５の確認を待つのは、同信号が送信されず第１補給ユニット５ｘのゲート６ｇが開放されたままの状態にあるときに第２補給ユニット５ｙへのメダル補給を行うと、第２補給ユニット５ｙのためのメダルを第１補給ユニット５ｘが受け入れてしまう恐れがあるので、そのような事態を防ぐためである。
【００３６】
以上の説明から理解されるように、上記Ｓ１７において第１補給ユニット５ｘからの補給要求信号に加え、第２補給ユニット５ｙからも補給要求信号を受けたホールコンピュータ５３は、第１補給タンク１３ｘから前者に対してメダル補給を行った直後に第２補給タンク１３ｙから後者に対してメダル補給を行うことができるようになっている。仮に、ここで補給タンクが１個しかないとすると、上記の場合、補給要求信号を送信してきた第１補給ユニット５ｘ及び第２補給ユニット５ｙの何れか一方（ここでは、第１補給ユニット５ｘ）にまずメダル補給を行い、空になった補給タンクに対してメダル揚送装置１０９からメダル補給を行ってから第２補給ユニット５ｙにメダル補給を行わなくてはならない。つまり、第２補給ユニット５ｙは、補給タンクにメダルが揚送補給されるまで空のままでいなくてはならない。メダル遊技は時々刻々状況が変化するものであり、複数の補給ユニットから同時又は短時間の間に複数のメダル要求がなされることが多い。そのような状況に対して速やかに対応する必要がある。対応が遅れるとメダル遊技の面白みが壊され、遊技客の不満の原因とも成り得る。本実施形態では、３個の補給タンク１３，・・を用いて、上記問題を解決する。
【００３７】
すなわち、上記の場合において、第１補給ユニット５ｘの補給要求に対して第１補給タンク１３ｘからメダル補給を行った直後に第２補給ユニット５ｙの補給要求に対して第２補給タンク１３ｙからメダル補給が可能となる。また、その直後に他の補給ユニット（以下、便宜上「第３補給ユニット５ｚ」という）から補給要求があったとしても第１補給タンク１３ｘ又は第２補給タンク１３ｙ以外の補給タンク（以下、便宜上「第３補給タンク１３ｚ」という）から速やかなメダル補給が可能である。第２補給ユニット５ｙや第３補給ユニット５ｚにメダル補給を行っている間に、第１補給タンク１３ｘや第２補給タンク１３ｙにメダル排出装置２３からメダル補給を行っておけば、さらなるメダルの補給要求にも迅速に対応することができる。つまり、メダル補給要求に対して複数ある補給タンクの何れかにメダル排出を行わせ、他のメダル補給要求に対しては他の補給タンクに対応させる。他の補給タンクへの対応を行わせている間に、メダル排出して空になった補給タンクにメダル補給を行い次のメダル補給要求に備えさせることによって、迅速なメダル補給を実現する。
【図面の簡単な説明】
【００３８】
【図１】メダル補給システムを備えたメダル遊技機島の正面図である。
【図２】図１に示すメダル遊技機島の部分拡大図である。
【図３】メダル排出機構の平面図である。
【図４】メダル排出機構の平面図である。
【図５】メダル排出機構の平面図である。
【図６】ゲートユニットの拡大平面図である。
【図７】ゲートユニットの拡大正面図である。
【図８】分配機構の斜視図である。
【図９】分配機構の斜視図である。
【図１０】分配機構の内部を示す正面図である。
【図１１】分配機構の内部を示す右側面図である。
【図１２】分配機構の内部を示す斜視図である。
【図１３】分配機構の内部を示す斜視図である。
【図１４】補給タンクの平面図である。
【図１５】補給タンクの正面図である。
【図１６】シャッター機構の右側面図である。
【図１７】シャッター機構の平面図である。
【図１８】案内シュートの正面図である。
【図１９】案内シュートの右側面図である。
【図２０】案内シュートの平面拡大図である。
【図２１】メダル補給システムの電気的構成を示すブロック図である。
【図２２】メダル補給システムの動作手順を示すフローチャートである。
【符号の説明】
【００３９】
１          メダル補給システム
３          メダルコンベア
３ａ        ローラ
３ｃ        側壁
３ｄ        排出切欠
５          補給ユニット
５ａ        貯留タンク
５ｂ        受入切欠
５ｃ        落下シュート
５ｇ        落下ゲート
５ｓ−１    補給要求信号
５ｘ        第１補給ユニット
５ｙ        第２補給ユニット
５ｚ        第３補給ユニット
６          ゲートユニット
６ａ        ソレノイド
６ｂ        旋回軸
６ｇ        ゲート
６ｈ        水平アーム部
６ｊ        支持アーム
６ｋ        ゲート本体
７          通過センサー
１１          メダル排出機構
１３          補給タンク
１３ａ        中空枠体
１３ｂ，１３ｃ        傾斜底板
１３ｈ        落下孔
１３ｘ        第１補給タンク
１３ｙ        第２補給タンク
１３ｚ        第３補給タンク
１５          シャッター機構
１５ａ        取付枠
１５ｂ        可逆モーター
１５ｃ        駆動ギヤ
１５ｄ        従動ギヤ
１５ｅ        支持片
１５ｆ        シャッター板
１５ｇ        支持部材
１７          案内シュート
１７ａ        中空枠体
１７ｂ，１７ｃ，１７ｄ        辺
１７ｅ        側壁
１７ｆ，１７ｇ，１７ｈ        傾斜底板
１７ｊ        排出口
２１          分配機構
２２          筐体
２２ａ        背面側壁
２２ｂ        受入開口
２２ｄ        前面側壁
２２ｅ        横長窓
２３          メダル排出装置
２３ａ        メダル貯留部
２３ｂ        排出シュート
２３ｃ        切欠
２３ｓ        カウントセンサー
２７          移動装置
２８          ローラ
２８ａ        駆動ローラ
２９          無端ベルト
３１          駆動部
３１ａ        可逆モーター
３１ｂ        ギヤボックス
３１ｃ        駆動プーリー
３１ｄ        従動ローラ
３１ｅ        アイドルプーリー
３１ｆ        無端ベルト
５１          システム制御装置
５３          ホールコンピュータ
５３ｍ        記憶装置
５３ｓ        開店信号
５３ｓ−１    駆動指令信号
５３ｓ−２    ゲート開放信号
５３ｓ−３    落下指令信号
５３ｓ−４    閉鎖指令信号
５３ｓ−５    ゲート閉鎖信号
５３ｓ−６    移動指令信号
５３ｓ−７    揚送停止信号
５３ｓ−８    排出指令信号
５３ｓ−９    駆動停止信号
５５          台コンピュータ
１０１          メダル遊技機島
１０２          島端部
１０３          メダル遊技機
１０５          メダル貸機
１０９          メダル揚送装置
１１０          排出口
【図１】
2006280743.tif 000003
【図２】
2006280743.tif 000004
【図３】
2006280743.tif 000005
【図４】
2006280743.tif 000006
【図５】
2006280743.tif 000007
【図６】
2006280743.tif 000008
【図７】
2006280743.tif 000009
【図８】
2006280743.tif 000010
【図９】
2006280743.tif 000011
【図１０】
2006280743.tif 000012
【図１１】
2006280743.tif 000013
【図１２】
2006280743.tif 000014
【図１３】
2006280743.tif 000015
【図１４】
2006280743.tif 000016
【図１５】
2006280743.tif 000017
【図１６】
2006280743.tif 000018
【図１７】
2006280743.tif 000019
【図１８】
2006280743.tif 000020
【図１９】
2006280743.tif 000021
【図２０】
2006280743.tif 000022
【図２１】
2006280743.tif 000023
【図２２】
2006280743.tif 000024